(57)【要約】【課題】スクリーンを張設したドラムにリボンスクリューを固着したドラム型濃縮機に関し、ドラム上部のろ過面を有効に活用できるドラム型濃縮機を提供する。【解決手段】周囲にスクリーン２を張設したドラム３の内周面にリボンスクリュー４を固着し、ドラム３始端側から内部に供給した被処理液をドラム３の回転により終端側へ搬送しながら濃縮するドラム型濃縮機１において、リボンスクリュー４の回転軸に沿って被処理液の供給管５を挿入し、供給管５の外径をリボンスクリュー４の内径に近似させると共に、供給管５のドラム３始端側に供給孔７を設け、供給管５を供給孔７の下流側で閉止することで、供給管を挿入した部分では供給した被処理液の液位を供給管の上方まで上昇させ、有効ろ過面を増加させることができる。【選択図】図１
2016123946.tif 000002
【特許請求の範囲】
【請求項１】
周囲にスクリーン（２）を張設したドラム（３）の内周面にリボンスクリュー（４）を固着し、ドラム（３）始端側から内部に供給した被処理液をドラム（３）の回転により終端側へ搬送しながら濃縮するドラム型濃縮機（１）において、
リボンスクリュー（４）の回転軸に沿って被処理液の供給管（５）を挿入し、
供給管（５）の外径をリボンスクリュー（４）の内径に近似させると共に、
供給管（５）のドラム（３）始端側に供給孔（７）を設け、
供給管（５）を供給孔（７）の下流側で閉止する
ことを特徴とするドラム型濃縮機。
【請求項２】
前記供給管（５）をドラム（３）の始端部から挿入し、供給管（５）を始端部からリボンスクリュー（４）の１ピッチ以上延設する
ことを特徴とする請求項１に記載のドラム型濃縮機。
【請求項３】
前記供給管（５）とリボンスクリュー（４）を摺動自在に配設し、摺動面にシールを施す
ことを特徴とする請求項１又は２に記載のドラム型濃縮機。
【請求項４】
前記ドラム（３）の始端部から終端部へ向かってリボンスクリュー（４）のピッチを漸減する
ことを特徴とする請求項１乃至３の何れか一項に記載のドラム型濃縮機。
【発明の詳細な説明】
【技術分野】
【０００１】
本発明は、固形物と水分を含む大量の被処理液から水分を分離除去して固形物を得るための濃縮機に関し、特に、回転するドラム型のスクリーン内に被処理液を供給し、スクリューで被処理液を搬送しつつ濃縮を行うドラム型濃縮機に関する。
【背景技術】
【０００２】
従来から、スクリーンを張設したドラム内に螺旋状の固形物排出羽根（以下、リボンスクリュー）を配設し、スクリーン内に形成されるろ過室に被処理液を供給し、ドラムを回転させながら濃縮搬送を行う回転濃縮機が特許文献１に開示されている。
【０００３】
また、スクリーンを張設したドラムとスクリュー羽根を巻き掛けたスクリュー軸を同心上に配設し、スクリュー軸に設けた供給路の供給孔からドラムとスクリュー軸で構成するろ過室に被処理液を供給し、ドラムとスクリュー軸を逆回転させながら被処理液を濃縮搬送し、ろ過室の終端部から濃縮された固形物を排出する回転濃縮機が特許文献２のように知られている。
【先行技術文献】
【特許文献】
【０００４】
【特許文献１】特開平１０−１６５７２３
【特許文献２】特開２００４−１７０１４
【発明の概要】
【発明が解決しようとする課題】
【０００５】
特許文献１に記載される濃縮機では、ドラムの下方でリボンスクリューによって区画されたろ過室に被処理液が供給され、リボンスクリューがドラムと共に回転することで排出方向に被処理液を搬送しながら濃縮を行う。
【０００６】
しかし、被処理液の供給量が多い場合、ろ過室を区画する下方のリボンスクリューの高さ以上に被処理液が供給され、リボンスクリューの高さを超えた被処理液はリボンスクリューの内周縁から排出側へ流れ込む。（図４参照）このように、リボンスクリューを用いると供給した被処理液の液位は下方リボンスクリューの高さ以上に高くならないため、液に浸ったろ過面（有効ろ過面）の面積は限られることになり、被処理液はドラムの下方でしか濃縮されず、効率の良いものではなかった。また、過供給により被処理液が排出側に流れ込み、未濃縮のまま排出されることもあり得るため、大容量の処理を行うことが困難であった。
【０００７】
特許文献２に記載される濃縮機は、スクリュー軸を備えるため、ドラムに供給された被処理液の液位が下方のスクリュー羽根の高さを越えても排出側の区画へ流れ込むことはなく、被処理液の液位はスクリュー軸の高さまで上昇する。
【０００８】
しかし、特許文献１とは異なり、被処理液の搬送にはスクリュー軸を回転させるため、回転駆動機や軸受けが必要となる。また、スクリーン下方に負荷が集中するため、ドラムを回転させて目詰まりを防止しているが、ドラムを回転させると駆動機構が別に必要で装置が複雑となる。
【０００９】
本発明は、円筒型のドラムのろ過面を有効に活用し、簡易な構造で大容量の処理を行うことのできるドラム型濃縮機を提供するものである。
【課題を解決するための手段】
【００１０】
周囲にスクリーンを張設したドラムの内周面にリボンスクリューを固着し、ドラム始端側から内部に供給した被処理液をドラムの回転により終端側へ搬送しながら濃縮するドラム型濃縮機において、リボンスクリューの回転軸に沿って被処理液の供給管を挿入し、供給管の外径をリボンスクリューの内径に近似させると共に、供給管のドラム始端側に供給孔を設け、供給管を供給孔の下流側で閉止することで、供給管を挿入した部分では供給した被処理液の液位を供給管の上方まで上昇させ、有効ろ過面を増加させることができる。
【００１１】
前記供給管をドラムの始端部から挿入し、供給管を始端部からリボンスクリューの１ピッチ以上延設することで、安定して液位を供給管より上方まで上昇させることができる。
【００１２】
前記供給管とリボンスクリューを摺動自在に配設し、摺動面にシールを施すことで、供給管とリボンスクリューとの間隙から被処理液が漏れ出すことはない。
【００１３】
前記ドラムの始端部から終端部へ向かってリボンスクリューのピッチを漸減することで、始端部ではろ過面が大きく、終端部では搬送速度が緩やかで濃縮時間を増やすことができる。
【発明の効果】
【００１４】
供給管の外径をリボンスクリューの内径に近似させるため、供給管を延設した部分では供給した被処理液の液位が供給管の上方まで上昇し、ドラムの上方でも濃縮を行うことができ有効ろ過面が増えるため、濃縮効率が向上する。また、ドラムの回転機構のみにより濃縮運転を行うため、装置の構造が簡易となり、メンテナンスが容易で製造コストを低減させることもできる。
【図面の簡単な説明】
【００１５】
【図１】本発明に係るドラム型濃縮機の断面図である。
【図２】同じく、ドラム型濃縮機の略断面図である。
【図３】本発明の実施例に係るドラム型濃縮機の断面図である。
【図４】従来のドラム型濃縮機の略断面図である。
【発明を実施するための形態】
【００１６】
図１は、本発明に係るドラム型濃縮機の断面図である。
本発明に係るドラム型濃縮機１は、周囲にスクリーン２を張設したドラム３と、ドラム３内周面に固着したリボンスクリュー４と、ドラム３内に被処理液を供給する固定式の供給管５と、ドラム３を回転させる回転駆動機６とを備える。
【００１７】
リボンスクリュー４を備えたドラム３の始端部は閉止され、終端部を開放している。ドラム３の始端側から供給された被処理液は、ドラム３と共に回転するリボンスクリュー４によってドラム３終端部へ向かって搬送される。被処理液は搬送されながらドラム３に張設したスクリーン２で水分のみが分離され、分離した水分はドラム３下方から排出される。そして、開放したドラム３終端部からは濃縮された固形物が排出される。
【００１８】
被処理液をドラム３内へ供給する供給管５の外径は、リボンスクリュー４の内径と同等の大きさを有しており、ドラム３の始端部からリボンスクリュー４の回転軸に沿ってドラム３内部へ挿入されている。ドラム３に挿入した供給管５は、ドラム３内部まで延設する。具体的には、リボンスクリュー４の１ピッチの長さ以上延設することで、後述する本発明の効果が得られる。
【００１９】
供給管５のドラム３の始端側には、供給管５から被処理液をドラム３内に供給するための供給孔７を設けている。また、供給管５は、供給孔７の下流側で閉止している。
供給管５の外径はリボンスクリュー４の内径に近似しており、且つ微小な隙間を有する。供給管５は固定式のため、ドラム３の回転によって供給管５が共に回転することはない。
【００２０】
その他、供給管５には被処理液をドラム３内部へ圧入するための供給装置（図示せず）を設けてある。供給装置を設けない場合は、供給孔７を供給管の上面に設けるなど、供給管５内の液位を常にスクリーン２上方以上に保つことで、ドラム３へ供給された被処理液の液位がスクリーン２上方まで上昇する。
【００２１】
図２は、本発明に係るドラム型濃縮機の略断面図である。
本発明のドラム型濃縮機１の始端側では、ドラム３内部に延設した供給管５を、リボンスクリュー４と微小な隙間をもたせて配設している。
図２（ａ）は、被処理液供給初期のドラム型濃縮機１の略断面図であって、供給管５の供給孔７から供給した被処理液は、リボンスクリュー４によって区画されたドラム３始端側のろ過室に供給され、濃縮されながら堆積する。
【００２２】
堆積した被処理液の液位は、供給管５を延設してリボンスクリュー４の中空部を塞いでいるため、供給管５の上方まで上昇する。なお、供給管５とリボンスクリュー４は微小な隙間を有しているため、ごく少量の被処理液が隙間から流出するが、被処理液の供給量が流出量を上回ように設定すれば、被処理液の液位は上昇する。本実施例では１ｍｍ程度の隙間を設ける。
【００２３】
供給管５はリボンスクリュー４のピッチ長さだけ延設することで、リボンスクリュー４の中空部を塞ぎ、被処理液の液位を供給管５の上方まで上昇させることができる。また、リボンスクリュー４の回転を考慮すると、ピッチの２倍の長さ以上延設することがより好ましい。その他、供給管５の外径を大きくすることで、ろ過面の単位面積当たりの液量負荷が小さくなるため、濃縮効率が良くなる。
【００２４】
図２（ｂ）は、濃縮運転中のドラム型濃縮機１の略断面図であって、ドラム３始端側で堆積した被処理液の液位が供給管５の高さを超え、排出方向のろ過室へ流入している。流入した先のろ過室まで供給管５が延設している場合、被処理液は再び堆積し、供給管５の高さまで液位が上昇する。
【００２５】
また、供給管５の終端部より排出側では、被処理液はドラム３と共に回転するリボンスクリュー４によってドラム３終端側へ搬送されながら濃縮が行われる。なお、ドラム３終端側へ向かうにつれ濃縮が進むため、液位は低下していく。そして、濃縮された固形物はドラム３終端部より排出される。
【００２６】
本発明のようなドラム型濃縮機１では、供給した被処理液の液位が高くなるにつれ、ドラム３のスクリーン２（ろ過面）に被処理液が当接する面積が増加し、濃縮効率が高くなる。特に供給直後の被処理液は多くの水分を含んでいるため、ろ過面の増加による濃縮効率の向上が顕著に現れる。
本発明のように供給管５とリボンスクリュー４を構成することで、供給直後の未濃縮の被処理液を供給管５の高さまで供給するこができ、円筒状のろ過面を有効に利用し、濃縮効率の向上を図ることができる。
【００２７】
また、リボンスクリュー４のピッチは、ドラム３始端側では大きく、終端側に向かうにつれ漸減するように構成すると、始端側のろ過面積は大きくなり、終端側では濃縮された固形物の滞留時間が増えるため、濃縮濃度をより低減させることができる。
【００２８】
本実施例では、供給管５とリボンスクリュー４の間に微小な隙間を設けているが、供給管５とリボンスクリュー４を摺動自在に配設することでも同様の効果が得られる。
その際、供給管５とリボンスクリュー４の摺動面にはシールゴム等の公知の技術でシールを施し、供給した被処理液が供給管５とリボンスクリュー４の間から流出しない構造としてもよい。
【００２９】
図３は本発明の実施例に係るドラム型濃縮機の断面図である。
スクリーン２を張設したドラム３は始端部を閉止し、終端部を開放している。供給管５はドラム３を貫通して両端で軸支され、供給管５の外径をドラム３に固着したリボンスクリュー４の内径に近似させてある。
【００３０】
被処理液はドラム３の終端側から供給管５に流入させてもよく、ドラム３始端側で開口した供給孔７より、ドラム３内へ供給される。供給管５の供給孔７より下流側では管を閉止し、被処理液が外部へ流出しないようにしている。
ドラム３内へ供給された被処理液は、回転駆動機６により回転するドラム３のリボンスクリュー４で搬送され、濃縮された固形物が終端部より排出される。
【産業上の利用可能性】
【００３１】
本発明に係るドラム型濃縮機は、供給管の外径をリボンスクリューの内径と近似させることで、従来は利用できなかったドラム上方のろ過面を利用できる構成としている。そのため、ろ過面が増加し、濃縮効率の向上が望める。従って、上水・下水汚泥や工業排水等の大容量の処理を必要とする処理場に好適なドラム型濃縮機となるものである。
【符号の説明】
【００３２】
１  ドラム型濃縮機
２  スクリーン
３  ドラム
４  リボンスクリュー
５  供給管
７  供給孔
【図１】
2016123946.tif 000003
【図２】
2016123946.tif 000004
【図３】
2016123946.tif 000005
【図４】
2016123946.tif 000006